(57)【特許請求の範囲】
【請求項１】
音声を録音する際に話者が読み上げるための文章を提示する文章提示装置であって、
第１文章を記憶する文書記憶部と、
前記第１文章を提示する提示部と、
提示された前記第１文章に対する話者からの入力に基づいて、前記第１文章の交換の要否を判定する判定部と、
予備文章を記憶する予備文書記憶部と、
前記第１文章の交換が必要であると判定された場合、前記第１文章の属性を示す情報であって、前記第１文章の読みを示す属性情報及び前記第１文章のアクセント型を示す属性情報のうち少なくとも１つに基づいて、前記予備文章のうち、前記第１文章の代替となる第２文章を選択する選択部と、
前記第２文章を前記提示部に提示させる制御部とを備え
前記属性情報には、重要度が各々対応付けられており、
前記選択部は、前記第１文章の交換が必要であると判定された場合、前記第１文章の少なくとも１つの各前記属性情報が示す属性値と一致する前記属性情報が対応付けられている前記予備文章に対して、前記属性値が一致する各前記属性情報に対して対応付けられた前記重要度の和を前記予備文章毎に算出して、前記重要度の和が最大である前記第２文章を選択する
ことを特徴とする文章提示装置。 
【請求項２】
話者からの操作入力を受け付ける入力受付部を更に備え、
前記判定部は、前記第１文章に対して交換を指示する話者からの操作入力が前記入力受付部によって受け付けられた場合及び前記第１文章に対する再録音を指示する操作入力が所定の回数以上前記入力受付部によって受け付けられた場合のうち少なくとも一方の場合、前記第１文章の交換が必要であると判定する
ことを特徴とする請求項１に記載の文章提示装置。 
【請求項３】
話者からの音声が入力される音声入力部を更に備え、
前記判定部は、前記第１文章に対して交換を指示する話者の音声が前記音声入力部に入力された場合に、前記第１文章の交換が必要であると判定する
ことを特徴とする請求項１又は２に記載の文章提示装置。 
【請求項４】
話者からの音声が入力される音声入力部を更に備え、
前記判定部は、前記音声入力部に入力された音声の質に応じて、前記第１文章の交換の要否を判定する
ことを特徴とする請求項１乃至３のいずれか一項に記載の文章提示装置。 
【請求項５】
前記文章記憶部は、前記第１文章に前記属性情報を対応付けて記憶し、
前記予備文章記憶部は、前記予備文章に前記属性情報を対応付けて記憶し、
前記選択部は、前記第１文章の交換が必要であると判定された場合、前記第１文章に対応付けられて前記文章記憶部に記憶されている前記属性情報に基づいて、前記予備文章に対応付けられた前記属性情報を参照して、前記第２文章を選択する
ことを特徴とする請求項１乃至４のいずれか一項に記載の文章提示装置。 
【請求項６】
前記選択部は、前記第１文章の交換が必要であると判定された場合、前記第１文章の少なくとも１つの各前記属性情報が示す属性値と、前記予備文章の少なくとも１つの各前記属性情報が示す属性値とを比較して、前記属性値の一致数が最多である又は当該一致数が所定の閾値を超える前記第２文章を選択する
ことを特徴とする請求項１乃至５のいずれか一項に記載の文章提示装置。 
【請求項７】
前記選択部は、前記第１文章の交換が必要であると判定された場合、前記予備文章のうち、前記第１文章の前記属性情報に基づいて予め規定された前記第２文章を選択する
ことを特徴とする請求項１乃至４のいずれか一項に記載の文章提示装置。 
【請求項８】
音声を録音する際に話者が読み上げるための文章を提示する文章提示装置で実行される文章提示方法であって、
前記文章提示装置は、第１文章を記憶する文章記憶部と、提示部と、判定部と、予備文章を記憶する予備文章記憶部と、選択部と、制御部とを備え、
前記提示部が、前記第１文章を提示する提示工程と、
前記判定部が、提示された前記第１文章に対する話者からの入力に基づいて、前記第１文章の交換の要否を判定する判定工程と、
前記選択部が、前記第１文章の交換が必要であると判定された場合、前記第１文章の読みを示す属性情報及び前記第１文章のアクセント型を示す属性情報のうち少なくとも１つに基づいて、前記第１文章の少なくとも１つの各前記属性情報が示す属性値と一致する前記属性情報が対応付けられている前記予備文章に対して、前記属性値が一致する各前記属性情報に対して対応付けられた重要度の和を前記予備文章毎に算出して、前記予備文章のうち前記重要度の和が最大である前記予備文章を、前記第１文章の代替となる第２文章として選択する選択工程と、
前記制御部が、前記第２文章を前記提示部に提示させる制御工程とを含む
ことを特徴とする文章提示方法。 
【請求項９】
音声を録音する際に話者が読み上げるための文章を提示する文章提示装置の有するコンピュータを、
文章記憶手段に記憶された第１文章を提示する提示手段と、
提示された前記第１文章に対する話者からの入力に基づいて、前記第１文章の交換の要否を判定する判定手段と、
前記第１文章の交換が必要であると判定された場合、前記第１文章の読みを示す属性情報及び前記第１文章のアクセント型を示す属性情報のうち少なくとも１つに基づいて、前記第１文章の少なくとも１つの各前記属性情報が示す属性値と一致する前記属性情報が対応付けられている前記予備文章に対して、前記属性値が一致する各前記属性情報に対して対応付けられた重要度の和を前記予備文章毎に算出して、前記予備文章のうち前記重要度の和が最大である前記予備文章を、前記第１文章の代替となる第２文章として選択する選択手段と、
前記第２文章を前記提示部に提示させる制御手段として機能させるためのプログラム。
【発明の詳細な説明】
【技術分野】
【０００１】
本発明の実施形態は、文章提示装置、文章提示方法及びプログラムに関する。
【背景技術】
【０００２】
従来から、任意のテキストから音声を人工的に作成するテキスト音声合成技術が知られている。テキスト音声合成技術では、テキストの文章を構成する単語や音素に対応する音声を合成して、当該文章に対応する音声（合成音声という）を作成する。ある人の合成音声を作成するためには、既定した文章を示す原稿（録音原稿という）を予め用意して当該録音原稿の示す文章を読み上げる人の声を録音して、各単語や音素に対応する音声を収集して合成辞書を作成する必要がある。合成辞書の作成のためによく用いられる録音原稿は、音素や韻律のバランスを考慮した文章であるため、話者にとって、聞き慣れない単語や、発声が難しいと感じる文章が含まれていることが多い。特許文献１には、このような録音原稿を作成する録音原稿作成装置や当該原稿に基づいた録音を管理する録音管理装置が開示されている。
【先行技術文献】
【特許文献】
【０００３】
【特許文献１】特開２００３−１８６４８９号公報
【発明の概要】
【発明が解決しようとする課題】
【０００４】
しかし、特許文献１の技術では、録音原稿におけるある文章に対して、発声が困難であると話者が感じて、当該文章に対する音声の録音が録音管理装置により否決された場合でも、当該文章に対する音声の録音を再度行わなければならないため、何度も録音を繰り返し、録音コストが増大したり、録音される音声の品質が劣化したりするといった危険性がある。また、発声が難しいと感じる文章は、個人差が非常に大きい為、原稿を話者に合わせて予め用意することは難しい。これらのことより、高品質の音声を収集することが困難となり、録音原稿の作成者が所望した音素や韻律のバランスを考慮した音声を収集することができず、高品質な合成辞書を作成することが困難であった。
【０００５】
本発明は、上記に鑑みてなされたものであって、話者にとって発声が難しいと感じる文章に対して録音を繰り返すといった話者への負担を減らすことが可能であると共に、所望の音素や韻律のバランスを考慮した音声を収集することが可能な文章提示装置、文章提示方法及びプログラムを提供することを目的とする。
【課題を解決するための手段】
【０００６】
上述した課題を解決し、目的を達成するために、実施形態の文章提示装置は、音声を録音する際に話者が読み上げるための文章を提示する文章提示装置であって、第１文章を記憶する文書記憶部と、前記第１文章を提示する提示部と、提示された前記第１文章に対する話者からの入力に基づいて、前記第１文章の交換の要否を判定する判定部と、予備文章を記憶する予備文書記憶部と、前記第１文章の交換が必要であると判定された場合、前記第１文章の属性を示す情報であって、前記第１文章の読みを示す属性情報及び前記第１文章のアクセント型を示す属性情報のうち少なくとも１つに基づいて、前記予備文章のうち、前記第１文章の代替となる第２文章を選択する選択部と、前記第２文章を前記提示部に提示させる制御部とを備え前記属性情報には、重要度が各々対応付けられており、前記選択部は、前記第１文章の交換が必要であると判定された場合、前記第１文章の少なくとも１つの各前記属性情報が示す属性値と一致する前記属性情報が対応付けられている前記予備文章に対して、前記属性値が一致する各前記属性情報に対して対応付けられた前記重要度の和を前記予備文章毎に算出して、前記重要度の和が最大である前記第２文章を選択することを特徴とする。
【０００７】
また、実施形態の文章提示方法は、音声を録音する際に話者が読み上げるための文章を提示する文章提示装置で実行される文章提示方法であって、前記文章提示装置は、第１文章を記憶する文章記憶部と、提示部と、判定部と、予備文章を記憶する予備文章記憶部と、選択部と、制御部とを備え、前記提示部が、前記第１文章を提示する提示工程と、前記判定部が、提示された前記第１文章に対する話者からの入力に基づいて、前記第１文章の交換の要否を判定する判定工程と、前記選択部が、前記第１文章の交換が必要であると判定された場合、前記第１文章の読みを示す属性情報及び前記第１文章のアクセント型を示す属性情報のうち少なくとも１つに基づいて、前記第１文章の少なくとも１つの各前記属性情報が示す属性値と一致する前記属性情報が対応付けられている前記予備文章に対して、前記属性値が一致する各前記属性情報に対して対応付けられた重要度の和を前記予備文章毎に算出して、前記予備文章のうち前記重要度の和が最大である前記予備文章を、前記第１文章の代替となる第２文章として選択する選択工程と、前記制御部が、前記第２文章を前記提示部に提示させる制御工程とを含むことを特徴とする。
【０００８】
また、実施形態のプログラムは、音声を録音する際に話者が読み上げるための文章を提示する文章提示装置の有するコンピュータを、文章記憶手段に記憶された第１文章を提示する提示手段と、提示された前記第１文章に対する話者からの入力に基づいて、前記第１文章の交換の要否を判定する判定手段と、前記第１文章の交換が必要であると判定された場合、前記第１文章の読みを示す属性情報及び前記第１文章のアクセント型を示す属性情報のうち少なくとも１つに基づいて、前記第１文章の少なくとも１つの各前記属性情報が示す属性値と一致する前記属性情報が対応付けられている前記予備文章に対して、前記属性値が一致する各前記属性情報に対して対応付けられた重要度の和を前記予備文章毎に算出して、前記予備文章のうち前記重要度の和が最大である前記予備文章を、前記第１文章の代替となる第２文章として選択する選択手段と、前記第２文章を前記提示部に提示させる制御手段として機能させる。
【図面の簡単な説明】
【０００９】
【図１】第１の実施の形態の文章提示装置の機能的構成を例示する図。
【図２】文章記憶部１１に記憶される文章及び属性情報を例示する図。
【図３】提示される文章を例示する図。
【図４】各属性情報及び重要度の対応関係を例示する図。
【図５】文章提示装置１０が行う文章提示交換処理の手順を示すフローチャート。
【図６】代替の文章の候補となる文章及び属性情報を例示する図。
【図７】第２の実施の形態において提示される文章を例示する図。
【図８】文章記憶部１１に記憶される文章及び属性情報を例示する図。
【図９】代替の文章の候補となる文章及び属性情報を例示する図。
【図１０】提示される文章を例示する図。
【図１１】文章記憶部１１に記憶される文章及び属性情報を例示する図。
【図１２】代替の文章の候補となる文章及び属性情報を例示する図。
【図１３】一変形例の文章提示装置の機能的構成を例示する図。
【図１４】文章提示装置１０が行う文章提示交換処理の手順を示すフローチャート。
【発明を実施するための形態】
【００１０】
[第１の実施形態]
音声を録音する際に話者が読み上げるための文章を提示する文章提示装置、文章提示方法及びプログラムの第１の実施の形態について説明する。まず、文章提示装置のハードウェア構成について説明する。本実施の形態の文章提示装置は、装置全体を制御するＣＰＵ（Central Processing Unit）等の制御部と、各種データや各種プログラムを記憶するＲＯＭ（Read Only Memory）やＲＡＭ（Random Access Memory）等の主記憶部と、各種データや各種プログラムを記憶するＨＤＤ（Hard Disk Drive）やＣＤ（Compact Disk）ドライブ装置等の補助記憶部と、これらを接続するバスとを備えており、通常のコンピュータを利用したハードウェア構成となっている。また、文章提示装置には、情報を表示する表示部と、ユーザからの操作が入力されるキーボードやマウス等の操作入力部と、話者の音声が入力される音声入力部とが有線又は無線により各々接続される。本実施の形態においては、操作入力部を介した操作入力に応じて、音声入力部を介して入力された話者の音声が録音装置（不図示）に録音される。
【００１１】
次に、このようなハードウェア構成において、文章提示装置の機能的構成について図１を用いて説明する。文章提示装置１０は、文章記憶部１１と、文章提示部１２と、交換判定部１３と、予備文章記憶部１４と、選択制御部１５とを備える。文章提示部１２と、交換判定部１３とは、文章提示装置１０のＣＰＵが主記憶部や補助記憶部に記憶された各種プログラムを実行することにより実現されるものである。文章記憶部１１と、予備文章記憶部１４とは、ＨＤＤなどの補助記憶部に記憶されるものである。
【００１２】
文章記憶部１１は、音声を録音する際に話者が読み上げるための文章を、当該文章の属性を示す属性情報と対応付けて記憶する。図２は、文章記憶部１１に属性情報と対応付けられて記憶される文章を例示する図である。同図の例では、「ビュッフェ」という文章について、その読みと、「キーとなるアクセント句のアクセント型」と、「文章に含まれる低頻出音素の種類」と、「文章を構成するアクセント句数」とが各々属性情報として対応付けられていることが示されている。各属性情報が示す属性値については、「キーとなるアクセント句のアクセント型」の属性値は「３モーラ１型」であり、「文章に含まれる低頻出音素の種類」の属性値は「フェ」であり、「文章を構成するアクセント句数」の属性値は「１」であることが示されている。尚、属性情報としては、この他、低頻出音素の音素種別や、キーとなるアクセント句の呼気段落中位置や、語尾上げが含まれることなどの情報も取り扱うようにしても良い。
【００１３】
予備文章記憶部１４は、文章記憶部１１に記憶されている文章の代替となり得る複数の文章を属性情報と対応付けて記憶する。予備文章記憶部１４に文章と対応付けられて記憶される属性情報は、文章記憶部１１に記憶されるものと同様である。
【００１４】
文章提示部１２は、文章記憶部１１に記憶された文章を提示する。具体的には例えば、文章提示部１２は、当該文章を表示部に表示させる。図２に例示した文章については、例えば、図３に例示されるように、提示される。
【００１５】
交換判定部１３は、文章提示部１２が提示した文章に対する話者からの入力に基づいて、当該文章の交換の要否を判定する。話者からの入力としては、例えば、操作入力部を介して話者から入力される操作（操作入力）や、音声入力部を介して入力される話者の音声がある。このような入力に基づく判定は例えば以下の通りである。交換判定部１３は、文章の交換を指示する操作入力を操作入力部を介して受け付けた場合や、文章の交換を指示する旨を示す音声が音声入力部に入力された場合、当該文章の交換が必要であると判定する。このような入力は、発声が困難であると話者が感じた場合に行われる。
【００１６】
選択制御部１５は、交換が必要であると交換判定部１３が判定した文章（要交換文章という）の属性情報に基づいて、要交換文章の代替となる文章を予備文章記憶部１４から選択する。具体的には、選択制御部１５は、要交換文章に対応付けられている属性情報、予備文章記憶部１４に記憶されている文章に対応付けられている属性情報及び各属性情報に対応付けられている重要度を用いて、文章毎の重要度の和を算出し、当該重要度の和が最大となる文章を代替の文章として予備文章記憶部１４から選択する。各属性情報及び重要度の対応関係は、図４に例示されるものであり、例えばＨＨＤなどの補助記憶部に記憶されている。そして、選択制御部１５は、選択した文章をその属性情報と対応付けて文章記憶部１１に記憶させ、この結果、当該文章を文章提示部１２に提示させる。
【００１７】
次に、本実施の形態に係る文章提示装置１０が行う文章提示交換処理の手順について図５を用いて説明する。文章提示装置１０は、文章提示部１２の機能により、文章記憶部１１に記憶された文章のうちまだ提示していない文章を提示する（ステップＳ１）。次に、文章提示装置１０は、交換判定部１３の機能により、話者からの入力に基づいて、ステップＳ１で提示した文章の交換の要否を判定する（ステップＳ２）。交換が不要であると判定した場合（ステップＳ３：ＮＯ）は、ステップＳ１に戻り、文章提示装置１０は、文章記憶部１１に記憶された文章のうちまだ提示していない文章を提示する。一方、文章提示装置１０は、交換が必要であると判定した場合（ステップＳ３：ＹＥＳ）、選択制御部１５の機能により、交換が必要であると判定された文章（要交換文章）の属性情報に基づいて、要交換文章の代替となる文章を予備文章記憶部１４から選択する（ステップＳ４）。具体的には、文章提示装置１０は、文章記憶部１１において要交換文章に対応付けられている属性情報、予備文章記憶部１４に記憶されている文章に対応付けられている属性情報及び各属性情報に対応付けられている重要度を参照して、属性値の一致した属性情報の重要度の和を文章毎に算出して、当該重要度の和が最大となる文章を予備文章記憶部１４から選択する。
【００１８】
例えば、文章提示装置１０は、図３に例示される「ビュッフェ」という文章を提示した場合に、当該文章に対して交換が必要であると判定したとする。当該文章（要交換文章）には、図２に例示されるように、属性情報として、「キーとなるアクセント句のアクセント型」、「文章に含まれる低頻出音素の種類」及び「文章を構成するアクセント句数」が対応付けられている。文章提示装置１０は、これらの各属性情報が示す属性値「３モーラ１型」、「フェ」及び「１」のそれぞれについて、予備文章記憶部１４に記憶されている文章毎に、当該文章に対応付けられている各属性情報が示す属性値が一致するか否かを判定し、一致する属性値を示す属性情報に対応付けられている重要度を当該文章の重要度の和として加算する。
【００１９】
図６は、図２に例示される要交換文章に対して、予備文章記憶部１４に記憶されている文章のうち、重要度の和が上位３位となる文章及び属性情報を例示する図である。同図の「カッフェ」については、「キーとなるアクセント句のアクセント型」、「文章に含まれる低頻出音素の種類」及び「文章を構成するアクセント句数」の各属性情報が示す属性値は、「３モーラ１型」、「フェ」及び「１」であり、要交換文章の属性値と各々一致している。属性値が一致しているこれらの各属性情報には、図４に例示されるように、重要度として「３」、「３」及び「１」が各々対応付けられているから、「カッフェ」という文章に対しての重要度の和は、「３＋３＋１＝７」となる。
【００２０】
また、図６の「フェドセーエフ」については、「キーとなるアクセント句のアクセント型」」、「文章に含まれる低頻出音素の種類」及び「文章を構成するアクセント句数」の各属性情報が示す属性値は、「６モーラ３型」、「フェ」及び「１」であり、属性情報のうち、「文章に含まれる低頻出音素の種類」及び「文章を構成するアクセント句数」」が、要交換文章の属性値と各々一致していることになる。属性値が一致しているこれらの各属性情報には、図４に例示されるように、重要度として「３」及び「１」が各々対応付けられているから、「カッフェ」という文章に対しての重要度の和は、「３＋１＝４」となる。同様に、図６の「フェスティバル」については、「キーとなるアクセント句のアクセント型」、「文章に含まれる低頻出音素の種類」及び「文章を構成するアクセント句数」の各属性情報が示す属性値は、「５モーラ１型」、「フェ」及び「１」であり、属性情報のうち、「文章に含まれる低頻出音素の種類」及び「文章を構成するアクセント句数」が、要交換文章の属性値と各々一致していることになる。属性値が一致しているこれらの各属性情報には、図４に例示されるように、重要度として「３」及び「１」が各々対応付けられているから、「カッフェ」という文章に対しての重要度の和は、「３＋１＝４」となる。
【００２１】
この３つの文章のうち、重要度の和が最大となるのは、「カッフェ」という文章であるから、文章提示装置１０は、当該文章を代替の文章として選択する。そして、文章提示装置１０は、ステップＳ４で選択した文章をその属性情報と対応付けて文章記憶部１１に記憶させる（ステップＳ５）。このとき例えば、文章提示装置１０は、ステップＳ４で選択した文章を、文章記憶部１１において、要交換文章の次に提示される位置に挿入する。但し、ステップＳ４で選択した文章を挿入する位置はこれに限らず、最後の位置や任意の位置であっても良い。その後、ステップＳ１に戻り、文章提示装置１０は、文章記憶部１１に記憶された文章のうちまだ提示していない文章を提示する。この結果、代替の文章として選択された文章が提示され、ステップＳ２以降の処理が行われる。
【００２２】
以上のように、発声が困難であると話者が感じた文章の代わりに、当該文章と一致する属性値を有する文章を当該属性値の属性情報の重要度に基づいて選択して提示する。これにより、話者は、発声が困難であると感じた文章を発声する必要がなく、話者にとって発声が難しいと感じる文章に対して録音を繰り返すといった話者への負担を減らすことが可能になる。また話者の個人差にも依存せずに、所望の音素や韻律のバランスを考慮した音声を収集することが可能になる。
【００２３】
また、要交換文章の代替となる文章を文章記憶部１１へ記憶させているため、文章記憶部１１に記憶された文章を確認することで、録音の際に読み上げる文章として話者が採用した文章を確認することが可能である。
【００２４】
[第２の実施の形態]
次に、文章提示装置、文章提示方法及びプログラムの第２の実施の形態について説明する。なお、上述の第１の実施の形態と共通する部分については、同一の符号を使用して説明したり、説明を省略したりする。
【００２５】
本実施の形態においては、文章記憶部１１及び予備文章記憶部１４に各々記憶される文章に対応付ける属性情報として、代替の文章の属性値として一致することが必須である属性情報を示す必須属性情報を更に有する。尚、この他の属性情報としては、文章毎に任意の属性情報が対応付けられ得るが、本実施の形態においては、少なくとも「キーとなるアクセント句のアクセント型」が各々対応付けられるものとする。
【００２６】
選択制御部１５は、交換が必要であると交換判定部１３が判定した文章（要交換文章）の必須属性情報に示される属性情報が示す属性値が一致し且つ属性値の一致する属性情報の重要度の和が最大となる文章を、要交換文章の代替となる文章として予備文章記憶部１４から選択する。重要度の和が最大となる文章が複数ある場合、選択制御部１５は、要交換文章に対応付けられている属性情報として「キーとなるアクセント句のアクセント型」が示す属性値に最も近い属性値が対応付けられている文章を選択する。これは、要交換文章の韻律情報を保持するためである。
【００２７】
次に、本実施の形態に係る文章提示装置１０が行う文章提示交換処理の手順について説明する。本実施の形態に係る文章提示交換処理の手順自体は図５に示したものと同様であるためその説明を省略する。本実施の形態においては、ステップＳ４で、文章提示装置１０は、ステップＳ３で交換が必要であると判定した文章に対応付けられている属性情報、予備文章記憶部１４に記憶されている文章に対応付けられている属性情報及び各属性情報に対応付けられている重要度を参照して、必須属性情報に示される属性情報が示す属性値が一致する文章のうち、属性値の一致した属性情報の重要度の和を文章毎に算出して、当該重要度の和が最大となる文章を選択する。
【００２８】
例えば、文章提示装置１０は、図７に例示される「今日のチョコレートはどうだった？」という文章を提示した場合に、当該文章に対して交換が必要であると判定したとする。当該文章（要交換文章）には、図８に例示されるように、必須属性情報として、語尾上げが含まれることを属性値として示す属性情報が対応付けられており、その他属性情報として、「キーとなるアクセント句のアクセント型」及び「文章を構成するアクセント句数」が対応付けられている。このため、文章提示装置１０は、語尾上げが含まれることを属性値として示す属性情報が対応付けられて予備文章記憶部１４に記憶されている文章を対象として、要交換文章の他の属性情報である「キーとなるアクセント句のアクセント型」、「文章に含まれる低頻出音素の種類」及び「文章を構成するアクセント句数」が各々示す属性値「６モーラ３型」、「チョコレートは」及び「３」のそれぞれについて、対象となる文章の属性情報が示す属性値と一致するか否かを判定し、一致する属性値を示す属性情報に対応付けられている重要度を当該文章の重要度の和として加算する。
【００２９】
図９は、図８に例示される要交換文章に対して、予備文章記憶部１４に記憶されている文章のうち、必須属性情報によって示される属性情報として語尾上げが含まれることを属性値として示す属性情報が対応付けられており且つ重要度の和が上位３位となる文章及び属性情報を例示する図である。同図の「青のストラップ〜」については、語尾上げが含まれることを属性値として示す属性情報の他、「キーとなるアクセント句のアクセント型」及び「文章を構成するアクセント句数」の各属性情報が示す属性値が、要交換文章の属性値と各々一致している。属性値が一致しているこれらの各属性情報には、図４に例示されるように、重要度として「４」、「３」及び「１」が各々対応付けられているから、「青のストラップ〜」という文章に対しての重要度の和は、「４＋３＋１＝８」となる。
【００３０】
同図の「冬の人気スポーツ〜」については、語尾上げが含まれることを属性値として示す属性情報の他、「キーとなるアクセント句のアクセント型」である属性情報が示す属性値が、要交換文章の属性値と一致している。このため、「冬の人気スポーツ〜」という文章に対しての重要度の和は、「７」となる。また、同図の「母のチーズフォンデュ〜」については、語尾上げが含まれることを属性値として示す属性情報の他、「文章を構成するアクセント句数」である属性情報が示す属性値が、要交換文章の属性値と一致している。このため、「母のチーズフォンデュ〜」という文章に対しての重要度の和は、「５」となる。
【００３１】
この３つの文章のうち、重要度の和が最大となるのは、「青のストラップ〜」という文章であるから、図５のステップＳ４では、文章提示装置１０は、当該文章を代替の文章として選択する。
【００３２】
また、他の例として、文章提示装置１０は、図１０に例示される「ライフ・プランナーを中心とした〜」という文章を提示し、当該文章に対して交換が必要であると判定したとする。当該文章（要交換文章）については、図１１に例示されるように、必須属性情報によって示される属性情報が「キーとなるアクセント句のアクセント型」であり、その属性値が「１０モーラ５型」であることが示されている。また、当該要交換文章に対しては、その他属性情報として、「キーとなるアクセント句のアクセント型」及び「文章を構成するアクセント句数」が対応付けられている。このため、文章提示装置１０は、属性値として「１０モーラ５型」を示す属性情報「キーとなるアクセント句のアクセント型」が対応付けられて予備文章記憶部１４に記憶されている文章を対象として、要交換文章の他の属性情報である「文章を構成するアクセント句数」が示す属性値「８」について、対象となる文章の属性情報が示す属性値と一致するか否かを判定し、一致する属性値を示す属性情報に対応付けられている重要度を当該文章の重要度の和として加算する。
【００３３】
図１２は、図１１に例示される要交換文章に対して、予備文章記憶部１４に記憶されている文章のうち、必須属性情報によって示される属性情報として「キーとなるアクセント句のアクセント型」が対応付けられておりその属性値が「１０モーラ５型」である且つ重要度の和が上位３位となる文章及び属性情報を例示する図である。同図の「この快適な土地を〜」については、属性情報として「キーとなるアクセント句のアクセント型」が対応付けられておりその属性値が「１０モーラ５型」であるが、その他要交換文章と一致する属性値がない。属性値が一致している属性情報には、図４に例示されるように、重要度として「３」が対応付けられているから、「この快適な土地を〜」という文章に対しての重要度の和は、「３」となる。図１２の「これでバッハ〜」及び「埼玉都民〜」についても同様に、必須属性情報によって示される属性情報として「キーとなるアクセント句のアクセント型」が対応付けられておりその属性値が「１０モーラ５型」であるが、その他要交換文章と一致する属性値がない。このため、「これでバッハ〜」及び「埼玉都民〜」という各文章に対しての重要度の和はそれぞれ、「３」となる。
【００３４】
この場合、重要度の和が最大となるのは、「この快適な土地を〜」、「これでバッハ〜」及び「埼玉都民〜」という３つの文章である。この場合、文章提示装置１０は、重要度の和が最大となる文章のうち、属性情報として「文章を構成するアクセント句数」の属性値が、要交換文章の属性値と最も近い文章を選択する。このため、図５のステップＳ４では、文章提示装置１０は、図１２に例示される「この快適な土地を〜」を代替の文章として選択する。
【００３５】
いずれの例の場合であってもステップＳ４の後のステップＳ５は上述の第１の実施の形態と同様である。
【００３６】
以上の第２の実施形態によっても、話者にとって発声が難しいと感じる文章に対して録音を繰り返すといった話者への負担を減らすことが可能になる。また話者の個人差にも依存せずに、所望の音素や韻律のバランスを考慮した音声を収集することが可能になる。更に、必須属性情報を用いて、要交換文章の代替となる文章を選択して提示することで、必要とされる要素を欠かすことのない音声を録音することが可能となる。
【００３７】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００３８】
上述した各実施の形態において、文章提示装置１０で実行される各種プログラムを、インターネット等のネットワークに接続されたコンピュータ上に格納し、ネットワーク経由でダウンロードさせることにより提供するように構成しても良い。また当該各種プログラムを、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録してコンピュータプログラムプロダクトとして提供するように構成しても良い。
【００３９】
上述した各実施の形態において、文章記憶部１１に記憶されている文章及び予備文章記憶部１４に記憶されている文章にはそれぞれ属性情報が予め対応付けられているものとした。しかし、これに限らず、例えば、交換が必要であると交換判定部１３が判定した文章を選択制御部１５が言語解析することにより当該文章の属性情報を取得するようにしても良い。また、予備文章記憶部１４に記憶されている文章についても同様に、選択制御部１５が言語解析することにより当該文章の属性情報を取得するようにしても良い。
【００４０】
上述した各実施の形態において、属性情報は、上述の例に限らず、文章の読み及びアクセント型のうち少なくとも一方の属性情報があれば良い。
【００４１】
上述した各実施の形態において、属性情報に対応付けられる重要度は、上述の例に限らない。
【００４２】
上述した各実施の形態において、予備文章記憶部１４は、文章記憶部１１に記憶された文章に対して、当該文章の属性情報に基づいて当該文章の代替となる文章として予め規定された複数の文章を記憶するようにしても良い。この場合、文章記憶部１１に記憶された文章と、当該文章の代替となる文章として予め規定されて予備文章記憶部１４に記憶された文章との対応関係を文章提示装置１０は記憶し、交換が必要であると交換判定部１３が判定した文章について、選択制御部１５が当該対応関係を参照して、代替となる文章を予備文章記憶部１４から選択するようにすれば良い。
【００４３】
上述した各実施の形態において、選択制御部１５は、要交換文章の各属性情報が示す属性値と、予備文章記憶部１４に記憶された各文章の各属性情報が示す属性値とを各々比較して、要交換文章の属性値との一致数が最多となる且つ属性値の一致した属性情報の重要度の和が最も高い文章を、要交換文章の代替となる文章として予備文章記憶部１４から選択するようにしても良い。
【００４４】
また、選択制御部１５は、各属性情報に対応付けられた重要度を用いて、要交換文章の代替となる文章を予備文章記憶部１４から選択するようにしたが、重要度を用いるのではなく、要交換文章の各属性情報が示す属性値と、予備文章記憶部１４に記憶された各文章の各属性情報が示す属性値とを各々比較して、属性値が一致する数（一致数）が最多となる又は当該一致数が所定の閾値を超える文章を、要交換文章の代替となる文章として予備文章記憶部１４から選択するようにしても良い。
【００４５】
上述した各実施の形態において、文章記憶部１１に記憶される文章の属性情報として更に、当該文章が提示済か否かを示す提示要否情報を対応付けるようにして、文章提示部１２は、文章記憶部１１において、未提示であることが示される提示要否情報が対応付けられて記憶されている文章を提示するようにしても良い。提示後に、文章提示部１２は、提示済みであることを当該提示要否情報が示すように文章記憶部１１に記憶された当該文章の属性情報を更新すれば良い。この場合、文章提示装置１０は、図５のステップＳ４で選択した文章について、当該文章が未提示であることを示す提示要否情報を含む属性情報を対応付けて文章記憶部１１に記憶させるようにする。
【００４６】
また、文章提示装置１０は、要交換文章と、要交換文章の代替となる文章との対応関係を示す交換情報を保持するようにしても良い。図１３は、この場合の文章提示装置１０の機能的構成を例示する図である。同図に示されるように、選択制御部１５の入出力関係が図１に例示するものと異なっている。選択制御部１５は、交換が必要であると交換判定部１３が判定した文章（要交換文章）の属性情報に基づいて、要交換文章の代替となる文章を予備文章記憶部１４から選択し、選択した文章に対して当該要交換文章の代替であることを示す交換情報を対応付けて予備文章記憶部１４に記憶させ、選択した文章を文章記憶部１１に記憶させることなく、文章提示部１２に提示させる。
【００４７】
交換情報は、要交換文章を構成する文字列及び代替の文章を構成する文字列の対応関係を示すものであったり、例えば各文章に文章番号が付与される場合には要交換文章の文章番号及び代替の文章の文章番号の対応関係を示すものであったりしても良い。
【００４８】
図１４は、本変形例に係る文章提示装置１０の行う文章提示交換処理の手順を示すフローチャートである。ステップＳ１〜Ｓ４は上述の第１の実施の形態と同様である。ステップＳ１０では、文章提示装置１０は、選択制御部１５の機能により、ステップＳ４で選択した文章に対してステップＳ３で交換が必要であると判定された要交換文章の代替であることを示す交換情報を対応付けて予備文章記憶部１４に記憶させる。ステップＳ１１では、文章提示装置１０は、ステップＳ４で選択した文章を文章提示部１２により提示させる。
【００４９】
このような構成によれば、交換情報を予備文章記憶部１４に記憶させることで、要交換文章の代替となる文章を容易に確認することが可能になる。また、要交換文章に対する代替として選択した文章を文章記憶部１１に記憶させるがことないため、メモリ資源を節約することが可能になる。
【００５０】
また、文章提示装置１０は、提示済文章記憶部を更に備え、文章提示部１２により提示させた文章を提示済文章記憶部に記憶させ、当該文章に対して交換が必要であると判定した場合、当該文章（要交換文章）の代替となる文章として予備文章記憶部１４から選択した文章を文章提示部１２により提示させ、代替の文章を提示済文章記憶部に記憶させるようにしても良い。このとき、文章提示装置１０は、更に、要交換文章を提示済文章記憶部から削除することにより、提示済文章記憶部において要交換文章と代替の文章とを交換するようにしても良い。
【００５１】
このような構成によっても、要交換文章の代替となる文章を容易に確認することが可能になる。
【００５２】
上述した各実施の形態において、文章提示装置１０は、要交換文章の代替となる文章及び属性情報を文章記憶部１１に記憶させて、当該要交換文章及び属性情報を文章記憶部１１から削除し、当該要交換文章及び属性情報を予備文章記憶部１４に記憶させることにより、要交換文章と代替の文章とを交換するようにしても良い。このような構成において、更に、文章提示装置１０は、上述の交換情報を保持するようにしても良い。この場合、選択制御部１５が、要交換文章の代替として選択した文章が文章提示部１２によって提示され、当該文章に対して交換が必要であると交換判定部１３が判定した場合、選択制御部１５は、当該文章に対応付けられて予備文章記憶部１４に記憶されている交換情報を参照して、予備文章記憶部１４に記憶されている文章のうち、交換が必要であると交換判定部１３が判定した文章との対応関係が交換情報によって示される文章を除いて、上述と同様にして、要交換文章の代替となる文章を選択する。
【００５３】
上述した各実施の形態において、交換判定部１３が、文章提示部１２が提示した文章に対する話者からの入力に基づいて、当該文章の交換の要否を判定する方法は上述の例に限らない。例えば、交換判定部１３は、文章提示部１２が提示した文章に対する再録音を指示する操作入力が所定の回数以上操作入力部を介して受け付けられた場合や、当該文章に対して音声入力部に入力された音声の質が十分でない場合、当該文章の交換が必要であると判定するようにしても良い。文章提示部１２が提示した文章に対して入力された音声の質が十分であるか否かは、種々の既存の技術を用いた解析により判定する。例えば、種々の既存の音声認識技術を用いて検出される言い間違いやアクセントの間違いの有無や、単語認識率が所定の閾値より下回ったか否かにより判定する。また、音声認識技術の他に、音声に対するノイズの有無、音声の声の高さである基本周波数（F0）が非常に高い又は低い値を連続して検出されたか否か、音声の音量が連続した録音試行で非常に小さくなったか否か、話速が一定に保たれているか否かにより判定する。尚、このように音声入力部を介して入力された音声の解析により、文章提示部１２が提示した文章の交換が必要であると判定した場合、交換判定部１３は、交換の要否を話者に確認するようにしても良い。具体的には、例えば、交換判定部１３は、当該文章の交換が必要である旨と、当該文章の交換を容認又は拒否する旨の操作入力を促すメッセージを表示部に表示させる。
【００５４】
上述した各実施の形態において、文章提示部１２は、例えば、文章を表示部に表示させることにより提示するようにしたが、これに限らず、例えば、文章提示装置１０が、文章を画像として印刷用紙に印刷する印刷部を備え、文章提示部１２は、印刷部に対して文章を画像として印刷用紙に印刷させることにより文章を提示するようにしても良い。
【符号の説明】
【００５５】
１０  文章提示装置
１１  文章記憶部
１２  文章提示部
１３  交換判定部
１４  予備文章記憶部
１５  文章交換部
【図１】
0005296029.tif 000002
【図２】
0005296029.tif 000003
【図３】
0005296029.tif 000004
【図４】
0005296029.tif 000005
【図５】
0005296029.tif 000006
【図６】
0005296029.tif 000007
【図７】
0005296029.tif 000008
【図８】
0005296029.tif 000009
【図９】
0005296029.tif 000010
【図１０】
0005296029.tif 000011
【図１１】
0005296029.tif 000012
【図１２】
0005296029.tif 000013
【図１３】
0005296029.tif 000014
【図１４】
0005296029.tif 000015